(57)【要約】【課題】コストを低く抑えつつデザイン上での制約を受け難くすることができる上、上部ユニットを開く際の作業者による作業性の悪化を回避することができる排水構造及びそれを備えた移動体を提供する。【解決手段】下部ユニットと、上部ユニットとを備え、上部ユニットが下部ユニットに対してヒンジ部を介して開閉可能な構成とされた移動体に設けられる排水構造は、上部ユニットの外壁面に設けられる排水部材を備えている。排水部材は、上部ユニットの外壁面において突出する庇部を有し、上部ユニットが閉じている状態では、庇部の先端側が下向きになるように構成されている。【選択図】図４
2018176840.tif 000002
【特許請求の範囲】
【請求項１】
下部ユニットと、上部ユニットとを備え、前記上部ユニットが前記下部ユニットに対してヒンジ部を介して開閉可能な構成とされた移動体に設けられる排水構造であって、
前記上部ユニットの外壁面に設けられる排水部材を備え、
前記排水部材は、前記上部ユニットの外壁面において突出する庇部を有し、前記上部ユニットが閉じている状態では、前記庇部の先端側が下向きになるように構成されていることを特徴とする排水構造。
【請求項２】
請求項１に記載の排水構造であって、
前記排水部材は、前記上部ユニットの前記ヒンジ部とは反対側の外壁面に設けられていることを特徴とする排水構造。
【請求項３】
請求項２に記載の排水構造であって、
前記排水部材は、前記上部ユニットが開いている状態では、前記庇部の先端側が上向きになるように構成されていることを特徴とする排水構造。
【請求項４】
請求項１から請求項３までの何れか１つに記載の排水構造であって、
前記排水部材における前記庇部は、前記上部ユニットの外壁面に沿った水平方向における前記庇部のサイズである庇部サイズが前記下部ユニットの外壁面に沿った水平方向における前記下部ユニットのサイズである下部ユニットサイズと同じ又は略同じサイズ、或いは、前記下部ユニットサイズよりも大きいサイズとされていることを特徴とする排水構造。
【請求項５】
請求項１から請求項４までの何れか１つに記載の排水構造であって、
前記排水部材は、前記上部ユニットの開閉状態に関わらず水が定位置又は略定位置で落下する水落下定点となる排水部を有していることを特徴とする排水構造。
【請求項６】
請求項５に記載の排水構造であって、
前記水落下定点となる前記排水部は、水平方向において前記下部ユニットよりも外側に設けられていることを特徴とする排水構造。
【請求項７】
請求項６に記載の排水構造であって、
前記排水部材は、前記庇部を支持して前記上部ユニットの外壁面に設けられる基部を有し、
前記基部は、前記上部ユニットの外壁面に沿った水平方向におけるサイズが前記下部ユニットの外壁面に沿った水平方向におけるサイズよりも大きいサイズとされており、
前記水落下定点となる前記排水部は、前記基部の前記上部ユニットの外壁面に沿った水平方向における両端と下端とでそれぞれ鋭角を構成する一対の角部とされていることを特徴とする排水構造。
【請求項８】
請求項１から請求項７までの何れか１つに記載の排水構造であって、
前記排水部材における前記庇部は、可撓性を有する材料で形成されていることを特徴とする排水構造。
【請求項９】
請求項１から請求項８までの何れか１つに記載の排水構造であって、
前記排水部材は、前記庇部を支持して前記上部ユニットの外壁面に設けられる基部を有し、
前記基部は、前記上部ユニットが閉じている状態において下端が前記下部ユニットの上端の位置又は前記下部ユニットの上端よりも下方の位置に位置していることを特徴とする排水構造。
【請求項１０】
請求項１から請求項９までの何れか１つに記載の排水構造であって、
前記排水部材は、前記庇部を支持して前記上部ユニットの外壁面に設けられる基部を有し、
前記基部は、基部本体部と、前記基部本体部の下端と連通して該下端から下方に行くに従って前記下部ユニットから次第に離れる離間部とを有していることを特徴とする排水構造。
【請求項１１】
請求項１から請求項１０までの何れか１つに記載の排水構造を備えたことを特徴とする移動体。
【発明の詳細な説明】
【技術分野】
【０００１】
本発明は、下部ユニットと、上部ユニットとを備え、上部ユニットが下部ユニットに対してヒンジ部を介して開閉可能な構成とされた移動体に設けられる排水構造及びそれを備えた移動体に関する。
【背景技術】
【０００２】
移動体として、下部ユニットと、上部ユニットとを備え、上部ユニットが下部ユニットに対してヒンジ部を介して開閉可能な構成とされた移動体、いわゆるクラムシェル機構を有する移動体が従来から知られている。
【０００３】
このようなクラムシェル機構を有する移動体では、水がかかる場所で使用する場合（例えば屋外で使用する場合）、移動体の内部に水が入り込むことがあり、そうすると、水が入り込むことによる不都合（例えば制御装置等の電気部品類の故障）が発生することがある。
【０００４】
移動体の内部に水が入り込まないようにするためには、（１）移動体全体を完全防水仕様とする構成、（２）上部ユニットを開くのに先立って作業者が上部ユニットに溜まっている水を拭き取ってから上部ユニットを開くといった手法をとることが考えられる。
【先行技術文献】
【特許文献】
【０００５】
【特許文献１】特開２０１２−００９３８５号公報
【特許文献２】特開２００４−０２３８６６号公報
【発明の概要】
【発明が解決しようとする課題】
【０００６】
しかしながら、前記（１）の構成は、コストが高くつくだけでなくデザイン上での制約により事実上困難である。また、前記（２）の手法では、上部ユニットを開く際の作業者による作業性が悪化する。
【０００７】
この点に関し、特許文献１は、挿入孔がＥＣＵの厚み方向に沿う方向に対して傾斜するように形成されている排水構造を開示している（特許文献１の段落［００４９］の第２文、図４等参照）。また、特許文献２は、防水カバーがケース側面側に傾倒された初期状態でケース上面のコネクタ収容部に第１のコネクタを嵌合し、防水カバーをケース上面側に回動させてケース上面を覆った状態とした後、ケース側面のコネクタ収容部に第２のコネクタを嵌合する排水構成を開示している（特許文献２の段落［００１５］の第２文及び第３文、図２等参照）。
【０００８】
しかしながら、特許文献１，２に記載の排水構造に設けられるものは、クラムシェル機構を有する移動体を構成するものではない。
【０００９】
そこで、本発明は、下部ユニットと、上部ユニットとを備え、上部ユニットが下部ユニットに対してヒンジ部を介して開閉可能な構成とされた移動体に設けられる排水構造であって、コストを低く抑えつつデザイン上での制約を受け難くすることができる上、上部ユニットを開く際の作業者による作業性の悪化を回避することができる排水構造及びそれを備えた移動体を提供することを目的とする。
【課題を解決するための手段】
【００１０】
前記課題を解決するために、本発明に係る排水構造は、下部ユニットと、上部ユニットとを備え、前記上部ユニットが前記下部ユニットに対してヒンジ部を介して開閉可能な構成とされた移動体に設けられる排水構造であって、前記上部ユニットの外壁面に設けられる排水部材を備え、前記排水部材は、前記上部ユニットの外壁面において突出する庇部を有し、前記上部ユニットが閉じている状態では、前記庇部の先端側が下向きになるように構成されていることを特徴とする。また、本発明に係る移動体は、前記本発明に係る排水構造を備えたことを特徴とする。
【００１１】
本発明において、前記排水部材は、前記上部ユニットの前記ヒンジ部とは反対側の外壁面に設けられている態様を例示できる。
【００１２】
本発明において、前記排水部材は、前記上部ユニットが開いている状態では、前記庇部の先端側が上向きになるように構成されている態様を例示できる。
【００１３】
本発明において、前記排水部材における前記庇部は、前記上部ユニットの外壁面に沿った水平方向における前記庇部のサイズである庇部サイズが前記下部ユニットの外壁面に沿った水平方向における前記下部ユニットのサイズである下部ユニットサイズと同じ又は略同じサイズ、或いは、前記下部ユニットサイズよりも大きいサイズとされている態様を例示できる。
【００１４】
本発明において、前記排水部材は、前記上部ユニットの開閉状態に関わらず水が定位置又は略定位置で落下する水落下定点となる排水部を有している態様を例示できる。
【００１５】
本発明において、前記水落下定点となる前記排水部は、水平方向において前記下部ユニットよりも外側に設けられている態様を例示できる。
【００１６】
本発明において、前記排水部材は、前記庇部を支持して前記上部ユニットの外壁面に設けられる基部を有し、前記基部は、前記上部ユニットの外壁面に沿った水平方向におけるサイズが前記下部ユニットの外壁面に沿った水平方向におけるサイズよりも大きいサイズとされており、前記水落下定点となる前記排水部は、前記基部の前記上部ユニットの外壁面に沿った水平方向における両端と下端とでそれぞれ鋭角を構成する一対の角部とされている態様を例示できる。
【００１７】
本発明において、前記庇部は、可撓性を有する材料（弾性変形する材料）で形成されている態様を例示できる。
【００１８】
本発明において、前記排水部材は、前記庇部を支持して前記上部ユニットの外壁面に設けられる基部を有し、前記基部は、前記上部ユニットが閉じている状態において下端が前記下部ユニットの上端の位置又は前記下部ユニットの上端よりも下方の位置に位置している態様を例示できる。
【００１９】
本発明において、前記排水部材は、前記庇部を支持して前記上部ユニットの外壁面に設けられる基部を有し、前記基部は、基部本体部と、前記基部本体部の下端と連通して該下端から下方に行くに従って前記下部ユニットから次第に離れる離間部とを有している態様を例示できる。
【発明の効果】
【００２０】
本発明によると、コストを低く抑えつつデザイン上での制約を受け難くすることができる上、上部ユニットを開く際の作業者による作業性の悪化を回避することが可能となる。
【図面の簡単な説明】
【００２１】
【図１】本発明の実施の形態に係る移動体において上部ユニットが下部ユニットに対して閉じている状態を左側面から視た概略構成図である。
【図２】本発明の実施の形態に係る移動体において上部ユニットが下部ユニットに対して開いている状態を左側面から視た概略構成図である。
【図３】本発明の実施の形態に係る移動体において上部ユニットが下部ユニットに対して閉じている状態を示す概略上面図である。
【図４】図１に示す移動体において外装部等を取り外した状態の排水部材部分を示す概略断面図である。
【図５】図４に示す移動体における排水部材部分を拡大して示す概略断面図である。
【図６】図１に示す移動体から下部ユニット及び上部ユニットを抜き出して上部ユニットが下部ユニットに対して開いている状態を示す概略構成図である。
【図７】図６に示す上部ユニットにおける排水部材部分を示す概略構成図である。
【図８】図６に示す下部ユニット及び上部ユニットにおいて上部ユニットの外壁面に設けられた排水部材における庇部と下部ユニットとの位置関係を正面側の下方から視た概略斜視図である。
【図９】図８に示す上部ユニットにおける排水部材部分を拡大して示す概略斜視図である。
【図１０】上部ユニットにおける排水部材の一例を示す概略構成図である。
【図１１】上部ユニットにおける排水部材の他の例を示す概略構成図である。
【図１２】上部ユニットにおける排水部材のさらに他の例であって、図４から図９に示す排水部材を示す概略構成図である。
【図１３】第１３実施形態における外装部の内側から視た曲げ形状部を示す拡大上面図である。
【図１４】図１３に示す矢符Ａ−Ａ線に沿う拡大断面図である。
【図１５】外装部を開けた状態での水抜き穴近傍の断面を示す拡大断面図である。
【図１６】第１４実施形態における外装部の内側から視た曲げ形状部を示す拡大上面図である。
【図１７】第１５実施形態における水抜き穴近傍の断面を示す拡大断面図である。
【図１８】第１５実施形態において、外装部が設けられた上部ユニットを開けた状態での水抜き穴近傍の断面を示す拡大断面図である。
【図１９】第１６実施形態における水抜き穴近傍の断面を示す拡大断面図である。
【発明を実施するための形態】
【００２２】
以下、本発明に係る実施の形態について図面を参照しながら説明する。
【００２３】
図１及び図２は、それぞれ、本発明の実施の形態に係る移動体１において上部ユニット３が下部ユニット２に対して閉じている状態及び開いている状態を左側面から視た概略構成図である。また、図３は、本発明の実施の形態に係る移動体１において上部ユニット３が下部ユニット２に対して閉じている状態を示す概略上面（平面）図である。
【００２４】
（移動体の全体構成）
移動体１は、予め設定された所定の経路に沿って移動する３輪又は４輪以上（この例では４輪）の車両である。
【００２５】
移動体１は、電動モータ等の駆動源（図示省略）、電源等のエネルギー供給源（図示省略）及び制御装置５ａ（具体的には制御基板）等の電気部品類５を備えている。移動体１は、エネルギー供給源からエネルギーが供給されることで、駆動源によって駆動する。この例では、電源は、充電池であり、主として、走行機能、距離検出機能、通信機能を行うための電力を供給する。
【００２６】
移動体１は、制御装置５ａからの指示信号にて各車輪６〜６の駆動制御を行うことにより、進行速度及び／又は進行方向Ｄを変更することができる。この例では、移動体１は、左方の２つの車輪６（６ａ），６（６ｂ）及び右方の２つの車輪６（６ａ），６（６ｂ）をそれぞれ独立して駆動制御し、回転速度に差を設けることで進行方向Ｄを変えることができ、回転方向を互いに逆方向とすることで、位置を変えずに旋回（定置旋回）することができる。移動体１は、主として、前方（図１から図３中の矢印の進行方向Ｄ）に向かって直進する。なお、移動体１は、例えば、車輪〔６（６ａ），６（６ｂ）〕，〔６（６ａ），６（６ｂ）〕に架設される無端ベルトを含む無限軌道を用いてもよい。
【００２７】
このような移動体１は、例えば、監視センターと通信しながら不審者や不審物等の監視対象（被検知物）を監視する監視用ロボットとして利用することができる。
【００２８】
この例では、移動体１は、監視装置７（具体的には画像撮影部）及びアーム部８を備え、自律走行型監視車両とされている。
【００２９】
そして、移動体１は、下部ユニット２と、上部ユニット３とを備え、上部ユニット３が下部ユニット２に対してヒンジ部４を介して開閉可能な構成とされている。すなわち、移動体１は、いわゆるクラムシェル機構を有している。また、移動体１は、下部ユニット２及び上部ユニット３を覆う外装部２００（具体的には外装カバー類）を備えている。
【００３０】
下部ユニット２には、駆動源、電源、制御装置５ａ等の電気部品類５が設けられている。具体的には、駆動源、電源、制御装置５ａ等の電気部品類５は、下部ユニット２内に設けられている。電気部品類５は、下部ユニット２の上部の開口から若干上部に突出している。
【００３１】
上部ユニット３には、監視装置７及びアーム部８が設けられている。具体的には、アーム部８は、一端が上部ユニット３の上面に設けられており、他端に監視装置７を備えた長尺状の部材とされている。アーム部８は、上部ユニット３への配設箇所を起点に回動する構成とされており、回動することで他端に設けられた監視装置７を鉛直方向Ｖに移動させることができる。監視装置７として作用する画像撮影部は、この例では、ＰＴＺ（パン・チルト・ズーム）カメラであり、制御装置５ａに制御され、移動体１の周囲の画像及び映像を撮影する。なお、移動体１には、監視装置７として画像撮影部だけでなく、物体を検知するセンサ等の検知部が設けられていてもよい。
【００３２】
下部ユニット２及び上部ユニット３は、上面視で同一又は略同一形状のものとされている。下部ユニット２及び上部ユニット３は、上面視で多角形状、円形状、楕円形状等の何れの形状であってもよい。また、下部ユニット２の外壁面２ａ及び上部ユニット３の外壁面３ａは、直線的に形成されていてもよいし、曲線的に形成されていてもよい。
【００３３】
この例では、下部ユニット２及び上部ユニット３は、上面視で四角形（具体的には進行方向で長い長方形状）とされている。下部ユニット２の外壁面２ａは、鉛直方向Ｖ又は略鉛直方向Ｖに沿って直線的に形成されている。上部ユニット３の外壁面３ａは、上部ユニット３が閉じている状態において鉛直方向Ｖ又は略鉛直方向Ｖに沿って直線的に形成されている。
【００３４】
下部ユニット２及び上部ユニット３は、上部ユニット３が閉じている状態（全閉の状態）において外周の各外壁面２ａ，３ａが揃っている又は略揃っている。下部ユニット２及び上部ユニット３は、互いに対向する側が開口されたボックス型のユニットとされている。
【００３５】
移動体１は、下部ユニット２及び上部ユニット３に設けたヒンジ部４の回動軸４ａ（回動軸線）を中心に、下部ユニット２に対して上部ユニット３を９０度よりも小さい所定の開放角度θａ（図２参照）まで開く（開放する）ことが可能となっている。
【００３６】
ここで、開放角度θａは、上部ユニット３が下部ユニット２に対して完全に開いたとき（全開のとき）の角度であり、例えば、４０度〜４５度の間の何れかの角度とすることができる。
【００３７】
この例では、開放角度θａは、４０度程度（４０度又は略４０度）とされている。ヒンジ部４は、下部ユニット２及び上部ユニット３の後方側（具体的には後端部）に設けられており、ヒンジ部４の回動軸４ａが左右方向Ｈ１に沿うように構成されている。なお、ヒンジ部４は、下部ユニット２及び上部ユニット３の前方側（具体的には前端部）に設けられており、ヒンジ部４の回動軸４ａが左右方向Ｈ１に沿うように構成されていてもよい。また、ヒンジ部４は、下部ユニット２及び上部ユニット３の左方側（具体的には左端部）又は右方側（具体的には右端部）に設けられ、ヒンジ部４の回動軸４ａが前後方向Ｈ２に沿うように構成されていてもよい。
【００３８】
移動体１は、上部ユニット３が開いているときに、下部ユニット２に対して上部ユニット３を支えるための支持部材９が設けられている。これにより、移動体１は、開いている状態において上部ユニット３の降下を防止することができる。支持部材９としては、ガスダンパ等のダンパやバネ等の付勢部材を例示できる。この例では、支持部材９は、ガスダンパとされている。支持部材９は、０度より大きいかつ開放角度θａより小さい角度範囲のうちの所定の角度（例えば１５度程度）までは閉じる方向に付勢し、且つ、該所定角度を超えると開く方向に付勢する構成とされている。移動体１は、上部ユニット３が所定の開放角度θａまで開くとこれ以上開かないように上部ユニット３の開く方向への回動が規制される構成とされている。
【００３９】
また、移動体１は、上部ユニット３が閉じているときに、下部ユニット２に対して上部ユニット３をロックするためのロック部材１０が設けられている。ロック部材１０は、従来公知のものを用いることができ、ここでは、詳しい説明を省略する。
【００４０】
また、移動体１の上部ユニット３の前方側（具体的には前端部）、かつ、左右方向Ｈ１における中央部には、移動体１の構成要素を備えた中央構成部１４が設けられている。
【００４１】
この例では、中央構成部１４には、光学的に被検知物を検知する光学検知部１４ａが設けられている。
【００４２】
ここで、光学検知部１４ａは、光を用いて被検知物を検知するものであれば、何れのものも用いることができる。光学検知部１４ａとしては、例えば、被検知物に光ビーム（具体的にはレーザー光）を照射して該被検知物の位置、距離、形状を特定するＬｉｄａｒ（ライダー：Ｌｉｇｈｔ  Ｄｅｔｅｃｔｉｏｎ  ａｎｄ  Ｒａｎｇｉｎｇ或いはＬａｓｅｒ  Ｉｍａｇｉｎｇ  Ｄｅｔｅｃｔｉｏｎ  ａｎｄ  Ｒａｎｇｉｎｇ）、撮像カメラ（撮影用カメラ）等を挙げることができる。
【００４３】
Ｌｉｄａｒとしては、代表的には、水平方向Ｈにおける検知範囲で被検知物を検知する２次元Ｌｉｄａｒ（いわゆる２ＤＬｉｄａｒ）や、水平方向Ｈ及び鉛直方向Ｖの双方における検知範囲で被検知物を検知する３次元Ｌｉｄａｒ（いわゆる３ＤＬｉｄａｒ）を例示できる。２次元Ｌｉｄａｒ及び３次元Ｌｉｄａｒは、例えば、被検知物を動画及び／又は静止画でリアルタイムに検知することができる。
【００４４】
また、撮像カメラとしては、代表的には、可視光に感度を有するＣＣＤ（Ｃｈａｒｇｅ  Ｃｏｕｐｌｅｄ  Ｄｅｖｉｃｅ）イメージセンサや、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等の撮像素子を備えたものを例示できる。撮像カメラは、例えば、被検知物を動画及び／又は静止画でリアルタイムに撮影することができる。なお、撮像カメラは、可視光に代えて／或いは加えて赤外光及び／又は紫外光により撮影するものであってもよい。
【００４５】
また、移動体１の上部ユニット３の前方側（具体的には前端部）、かつ、左右方向Ｈ１における両側（具体的には両端部）には、移動体１の他の構成要素を備えた両端構成部１５が設けられている。
【００４６】
この例では、両端構成部１５には、ヘッドライト１５ａ及び超音波検知部１５ｂが設けられている。
【００４７】
そして、移動体１には、水がかかった場合に（例えば、上部ユニット３を開いたときの上部ユニット３における中央構成部１４の外装部２００からの水の落下による下部ユニット２の外装部２００内への水の浸入や、上部ユニット３における両端構成部１５の外装部２００から下部ユニット２の外装部２００内への水の浸入を効果的に防ぐべく）、外部に排水するための排水構造１００が設けられている。次に、排水構造１００について詳述する。
【００４８】
＜排水構造＞
［排水部材］
図４は、図１に示す移動体１において外装部２００等を取り外した状態の排水部材１１０部分を示す概略断面図である。図５は、図４に示す移動体１における排水部材１１０部分を拡大して示す概略断面図である。
【００４９】
図６は、図１に示す移動体１から下部ユニット２及び上部ユニット３を抜き出して上部ユニット３が下部ユニット２に対して開いている状態を示す概略構成図である。図７は、図６に示す上部ユニット３における排水部材１１０部分Ｒ１を示す概略構成図である。
【００５０】
また、図８は、図６に示す下部ユニット２及び上部ユニット３において上部ユニット３の外壁面３ａに設けられた排水部材１１０における庇部１１１と下部ユニット２との位置関係を正面側の下方から視た概略斜視図である。
【００５１】
ところで、移動体１では、水Ｗ（図４、図５、図７参照）（具体的には雨）がかかる場所で使用する場合（例えば屋外で使用する場合）、移動体１の内部に水Ｗが入り込むことがあり、そうすると、水Ｗが入り込むことによる不都合〔例えば制御装置５ａ（図４、図６参照）等の電気部品類５（図４、図６参照）の故障〕が発生することがある。
【００５２】
この点、本実施の形態では、排水構造１００（図４参照）は、上部ユニット３の外壁面３ａに設けられる排水部材１１０（図３、図４から図８参照）を備えている。排水部材１１０は、上部ユニット３の外壁面３ａにおいて突出する庇部１１１（図４から図８参照）を有している。排水部材１１０は、上部ユニット３が閉じている状態では、庇部１１１の先端１１１ａ（図４、図５参照）側が下向きになるように構成されている（図４、図５参照）。ここで、上部ユニット３が閉じている状態とは、上部ユニット３が下部ユニット２に対して全閉の状態にあることを意味する。
【００５３】
本実施の形態によれば、排水部材１１０が上部ユニット３の外壁面３ａに設けられる構成であるので、移動体１全体を完全防水仕様にしなくてもよく、それだけコストを抑えることができる。また、排水部材１１０が上部ユニット３の外壁面３ａに設けられる構成であるので、デザイン上での制約を受け難くすることができる。そして、排水部材１１０は、上部ユニット３の外壁面３ａにおいて突出する庇部１１１を有し、上部ユニット３が閉じている状態では、庇部１１１の先端１１１ａ側が下向きになるように構成されているので、上部ユニット３が閉じている状態において、上方から落下する水Ｗや上部ユニット３の外壁面３ａの庇部１１１よりも上方から伝って落ちてくる水Ｗを庇部１１１で受け止めた後、庇部１１１を伝って下方に流すことができ、さらに、下部ユニット２よりも外側に落下させて排水することができる。これにより、下部ユニット２に水Ｗを入り難くすることができる。従って、上部ユニット３を開くのに先立って作業者が上部ユニット３に溜まっている水Ｗを拭き取らなくてもよく、従って、上部ユニット３を開く際の作業者による作業性の悪化を回避することができる。
【００５４】
この例では、中央構成部１４の下方に庇部１１１が設けられている。こうすることで、上部ユニット３を開いたときの上部ユニット３における中央構成部１４の外装部２００からの水Ｗの落下による下部ユニット２の外装部２００内への水Ｗの浸入を効果的に防止することができる。
【００５５】
ここで、前記した構成及び作用は、移動体１が水平な設置面Ｓ（図４参照）に設置されていることを基準としており、勿論、移動体１の設置面Ｓの状態によって変化する。なお、前記した構成及び作用は、この例では、移動体１の設置面Ｓの状態によって変化するが、移動体１の設置面Ｓの状態に応じて排水構造１００の傾きを変化させて前記した構成及び作用を一定又は略一定に維持するように構成してもよい。このことは後述する第１実施形態以降の排水構造１００についても同様である。
【００５６】
庇部１１１は、図４から図７に示すように、平板状に形成されていてもよいし、図示を省略したが、先端１１１ａ側に行くに従って次第に下方に湾曲する湾曲状に形成されていてもよい。
【００５７】
ところで、移動体１が水平な設置面Ｓに設置されている状態において上部ユニット３が閉じている状態での庇部１１１の水平方向Ｈに対する下向傾斜角度θｂ１（図５参照）〔庇部１１１が湾曲状に形成されている場合には庇部１１１の基端１１１ｂ（図５及び図７参照）を通る仮想接線の水平方向Ｈに対する角度〕は、小さ過ぎると、水Ｗが庇部１１１に溜まり易い。一方、下向傾斜角度θｂ１は、大き過ぎると、排水部材１１０の上部ユニット３の外壁面３ａへの取り付け作業性が悪化し易い。
【００５８】
この点、本実施の形態では、下向傾斜角度θｂ１は、例えば、５度〜１５度程度を挙げることができる。この例では、下向傾斜角度θｂ１は、１０度程度（１０度又は略１０度）とされている。
【００５９】
こうすることで、庇部１１１での水Ｗの流れ性の向上と、排水部材１１０の上部ユニット３の外壁面３ａへの取り付け作業性の向上との両立を実現させることができる。
【００６０】
また、庇部１１１の突出長さＬ（水平方向Ｈにおける長さ）（図５参照）は、上部ユニット３が閉じている状態において水Ｗが下部ユニット２の内部に入り込み難い長さとすることができる。具体的には、庇部１１１の突出長さＬは、上部ユニット３が閉じている状態において庇部１１１の先端１１１ａが下部ユニット２よりも外側（この例では前方側）に位置する長さとすることができる。
【００６１】
（第１実施形態）
排水部材１１０は、上部ユニット３の正面側（前方側）の外壁面３ａ（３ａ１）（図３から図７参照）、背面側（後方側）の外壁面３ａ（３ａ２）（図３、図４、図６、図８参照）、左側面側（左方側）の外壁面３ａ（３ａ３）（図３、図４、図６参照）、右側面側（右方側）の外壁面３ａ（３ａ４）（図３、図８参照）のうち少なくとも１つの外壁面３ａに設けることができる。
【００６２】
しかし、下部ユニット２に対して上部ユニット３を開くときには、上部ユニット３のヒンジ部４（図４、図６参照）とは反対側（この例では前方側）の外壁面３ａ（３ａ１）の下端３ｂ（図４から図７参照）が下部ユニット２の内側領域α（図６参照）の上方に位置し、この場合、上部ユニット３のヒンジ部４とは反対側の外壁面３ａ（３ａ１）を伝って落ちてくる水Ｗが下部ユニット２の内部〔具体的には水Ｗが入り込むと不都合が発生する箇所（例えば制御装置５ａ等の電気部品類５が設けられている箇所）〕に入り込み易い。
【００６３】
この点、本実施の形態では、排水部材１１０は、上部ユニット３のヒンジ部４とは反対側の外壁面３ａ（３ａ１）に設けられている。
【００６４】
こうすることで、上部ユニット３を下部ユニット２に対して開くときに、たとえ、上部ユニット３のヒンジ部４とは反対側の外壁面３ａ（３ａ１）の下端３ｂが下部ユニット２の内側領域αの上方に位置したとしても、上部ユニット３のヒンジ部４とは反対側の外壁面３ａ（３ａ１）において水Ｗを確実に排水することができる。これにより、上部ユニット３のヒンジ部４とは反対側の外壁面３ａ（３ａ１）における水Ｗが下部ユニット２の内部〔特に水Ｗが入り込むと不都合が発生する箇所（例えば制御装置５ａ等の電気部品類５が設けられている箇所）〕に入り込み難くすることができる。
【００６５】
（第２実施形態）
ところで、排水部材１１０は、上部ユニット３のヒンジ部４とは反対側の外壁面３ａ（３ａ１）に設けられている場合において、上部ユニット３が開いている状態では、庇部１１１の先端１１１ａ側が下向きになるように構成されている場合には、上部ユニット３のヒンジ部４とは反対側の外壁面３ａ（３ａ１）の庇部１１１よりも上方から伝って落ちてくる水Ｗや庇部１１１に溜まっている水Ｗが庇部１１１の先端１１１ａ側に向けて流れて先端１１１ａから落下することになる。そうすると、庇部１１１の先端１１１ａから落下する水Ｗが下部ユニット２の内部に入り込み易い。ここで、上部ユニット３が開いている状態とは、上部ユニット３が下部ユニット２に対して全開の状態にあることを意味する。
【００６６】
従って、庇部１１１から落下する水Ｗが下部ユニット２の内部に入り込み難くすることが望まれる。
【００６７】
この点、本実施の形態において、排水部材１１０は、上部ユニット３が開いている状態では、庇部１１１の先端１１１ａ側が上向きになるように構成されている（図６及び図７参照）。
【００６８】
こうすることで、たとえ上部ユニット３を下部ユニット２に対して開くときでも或いは／さらに開いている状態でも、上部ユニット３のヒンジ部４とは反対側の外壁面３ａ（３ａ１）の庇部１１１よりも上方から伝って落ちてくる水Ｗや庇部１１１に溜まっている水Ｗを庇部１１１の基端１１１ｂ（図６、図７参照）側に集めてヒンジ部４の回動軸４ａ（図４、図６参照）方向（この例では左右方向Ｈ１）における両端１１１ｃ，１１１ｃ（図８参照）から落下させて排水することができる。これにより、庇部１１１から落下する水Ｗが下部ユニット２の内部に入り込み難くすることができる。
【００６９】
ここで、移動体１が水平な設置面Ｓに設置されている状態において上部ユニット３が開いている状態での水平方向Ｈに対する庇部１１１の上向傾斜角度θｂ２（図７参照）（庇部１１１が湾曲状に形成されている場合には庇部１１１の基端１１１ｂを通る仮想接線の水平方向Ｈに対する角度）は、開放角度θａ及び下向傾斜角度θｂ１によって決まるが、例えば、開放角度θａが４０度程度であり、下向傾斜角度θｂ１が５度〜１５度程度である場合、上向傾斜角度θｂ２は、２５度~３５度程度を挙げることができる。この例では、上向傾斜角度θｂ２は、３０度程度とされている。
【００７０】
また、本実施の形態において、排水部材１１０は、上部ユニット３が開いている状態では、庇部１１１の先端１１１ａ側が下向きになるように構成されており、庇部１１１の突出長さＬ（図７参照）は、上部ユニット３が開いている状態において庇部１１１の先端１１１ａがヒンジ部４の回動軸４ａ方向（回動軸線方向）と直交する水平方向Ｈ（この例では前後方向Ｈ２）において下部ユニット２よりも外側（この例では前方側）に位置する長さとされていてもよい。
【００７１】
こうすることで、たとえ上部ユニット３を下部ユニット２に対して開くときでも或いは／さらに開いている状態でも、上部ユニット３のヒンジ部４とは反対側の外壁面３ａ（３ａ１）の庇部１１１よりも上方から伝って落ちてくる水Ｗや庇部１１１に溜まっている水Ｗを庇部１１１の先端１１１ａから下部ユニット２よりも外側に落下させて排水することができる。これにより、庇部１１１から落下する水Ｗが下部ユニット２の内部に入り込み難くすることができる。
【００７２】
（第３実施形態）
ところで、上部ユニット３を下部ユニット２に対して開くときには、ヒンジ部４が設けられる位置や上部ユニット３及び下部ユニット２の形状によっては、上部ユニット３のヒンジ部４側（この例では後方側）の外壁面３ａ（３ａ２）の下端３ｂ（図６参照）が下部ユニット２の内側領域α内又は内側領域αの上方に位置することがある。この場合、上部ユニット３のヒンジ部４側の外壁面３ａ（３ａ２）を伝って落ちてくる水Ｗが下部ユニット２の内部に入り込み易い。
【００７３】
そこで、本実施の形態において、排水部材１１０は、上部ユニット３のヒンジ部４側の外壁面３ａ（３ａ２）に設けられている態様を例示できる。
【００７４】
こうすることで、上部ユニット３を下部ユニット２に対して開くときに、たとえ、上部ユニット３のヒンジ部４側の外壁面３ａ（３ａ２）の下端３ｂが下部ユニット２の内側領域α内又は内側領域αの上方に位置したとしても、上部ユニット３のヒンジ部４側の外壁面３ａ（３ａ２）において水Ｗを確実に排水することができる。これにより、上部ユニット３のヒンジ部４側の外壁面３ａ（３ａ２）における水Ｗが下部ユニット２の内部に入り込み難くすることができる。
【００７５】
ここで、庇部１１１の突出長さＬは、上部ユニット３の開閉状態に関わらず庇部１１１の先端１１１ａがヒンジ部４の回動軸４ａ方向と直交する水平方向Ｈ（この例では前後方向Ｈ２）において下部ユニット２よりも外側（この例では後方側）に位置する長さとされる。また、庇部１１１は、上部ユニット３が開いている状態では、下部ユニット２に接触しないようにすることが好ましい。
【００７６】
（第４実施形態）
本実施の形態において、排水部材１１０における庇部１１１は、庇部サイズｄ１（図８参照）が下部ユニットサイズｄ２（図８参照）と同じ又は略同じサイズ、或いは、下部ユニットサイズｄ２よりも大きいサイズとされている態様を例示できる。庇部サイズｄ１は、上部ユニット３の外壁面３ａ〔この例ではヒンジ部４とは反対側の外壁面３ａ（３ａ１）〕に沿った水平方向Ｈ（この例ではヒンジ部４の回動軸４ａ方向）（長手方向）における庇部１１１のサイズである。下部ユニットサイズｄ２は、下部ユニット２の外壁面２ａ（図４から図６、図８参照）に沿った水平方向Ｈ（この例ではヒンジ部４の回動軸４ａ方向）における下部ユニット２のサイズである。
【００７７】
こうすることで、上方から落下する水Ｗや上部ユニット３の外壁面３ａの庇部１１１よりも上方から伝って落ちてくる水Ｗを下部ユニット２の外壁面２ａに沿った水平方向Ｈ（この例ではヒンジ部４の回動軸４ａ方向）（長手方向）における両外側に逃すことができる。これにより、上方から落下する水Ｗや上部ユニット３の外壁面３ａの庇部１１１よりも上方から伝って落ちてくる水Ｗを下部ユニット２にさらに入り難くすることができる。
【００７８】
この例では、庇部１１１は、庇部サイズｄ１が下部ユニットサイズｄ２よりも大きいサイズとされている。また、庇部１１１は、四角形状（具体的には長方形状）の平板部材（具体的にはシート状の部材）とされている。なお、四角形状の平板部材の庇部１１１において先端１１１ａ側の角部を面取りしてもよい。
【００７９】
庇部１１１は、この例では、平板部材とされている。但し、それに限定されるものではなく、庇部１１１は、上部ユニット３の外壁面３ａに沿った水平方向Ｈ（この例ではヒンジ部４の回動軸４ａ方向）において板状部が内側から外側に向けて次第に低くなるように屈曲する屈曲角山形状（例えば中央部又は略中央部を頂点として屈曲する屈曲角山形状）の板状部材であってもよい。また、庇部１１１は、上部ユニット３の外壁面３ａに沿った水平方向Ｈ（この例ではヒンジ部４の回動軸４ａ方向）において板状部が内側から外側に向けて次第に低くなるように湾曲する湾曲円弧形状（例えば中央部又は略中央部を頂点として湾曲する湾曲円弧形状）の板状部材であってもよい。
【００８０】
こうすることで、庇部１１１の上部ユニット３の外壁面３ａに沿った水平方向Ｈにおける両端１１１ｃ，１１１ｃから水Ｗを落下させ易くすることができる。
【００８１】
（第５実施形態）
図９は、図８に示す上部ユニット３における排水部材１１０部分Ｒ２を示す概略斜視図である。なお、排水部材１１０は、水平方向Ｈにおける両側（この例では左方側及び右方側）で実質的に同じ構成であるため、図９では、排水部材１１０の一方側（この例では左方側）のみを示している。
【００８２】
ところで、排水部材１１０を伝って流れる水Ｗは、排水部材１１０における排水部１１０ａ（図８、図９参照）において定位置又は略定位置で落下する水落下定点Ｐ（図９参照）から落下することが好ましい。これに対し、排水部１１０ａにおいて水Ｗが定位置又は略定位置で落下しない場合には、すなわち、排水部１１０ａが水平な平面又は水平に近い平面である場合には、水Ｗが水平な平面又は水平に近い平面である排水部１１０ａの何れの位置から落下するか特定することができない。
【００８３】
従って、排水部材１１０における排水部１１０ａにおいて水Ｗを水落下定点Ｐから落下させて水Ｗの落下位置を特定することが望まれる。
【００８４】
この点、本実施の形態において、排水部材１１０は、上部ユニット３の開閉状態に関わらず水Ｗが定位置又は略定位置で落下する水落下定点Ｐとなる排水部１１０ａを有している。
【００８５】
こうすることで、水Ｗを排水部１１０ａにおける水落下定点Ｐで落下させることができる。これにより、排水部材１１０における排水部１１０ａにおいて水Ｗを水落下定点Ｐから落下させて水Ｗの落下位置を特定することができる。
【００８６】
（第６実施形態）
本実施の形態において、水落下定点Ｐとなる排水部１１０ａは、水平方向Ｈ（この例では左右方向Ｈ１）において下部ユニット２よりも外側に設けられている。詳しくは、排水部１１０ａは、上部ユニット３の開閉状態に関わらず排水部材１１０の上部ユニット３の外壁面３ａに沿った水平方向Ｈ（この例では左右方向Ｈ１）における下部ユニット２よりも両外側にはみ出している部分に設けられている。
【００８７】
こうすることで、水Ｗを排水部１１０ａから水平方向Ｈにおいて下部ユニット２よりも外側に確実に落下させることができる。これにより、排水部１１０ａから落下する水Ｗを下部ユニット２にさらに入り込み難くすることができる。
【００８８】
（第７実施形態）
排水部材１１０は、庇部１１１を支持して上部ユニット３の外壁面３ａ〔この例では上部ユニット３のヒンジ部４とは反対側の外壁面３ａ（３ａ１）〕に設けられる基部１１２（図５、図７から図９参照）を有している。基部１１２は、上部ユニット３の外壁面３ａに沿った水平方向Ｈ〔この例ではヒンジ部４の回動軸４ａ方向（回動軸線方向）、左右方向Ｈ１〕におけるサイズである基部サイズｄ３（図８参照）が下部ユニットサイズｄ２よりも大きいサイズとされている。また、基部１１２は、基部サイズｄ３が庇部サイズｄ１と同じ又は略同じサイズとされていてもよいが、この例では、庇部サイズｄ１よりも大きいサイズとされている。
【００８９】
そして、水落下定点Ｐとなる排水部１１０ａは、基部１１２の上部ユニット３の外壁面３ａに沿った水平方向Ｈ（この例では左右方向Ｈ１）における両端１１２ｂ，１１２ｂ（図８、図９参照）と下端１１２ｃ（図８、図９参照）とでそれぞれ鋭角を構成する一対の角部１１２ｄ，１１２ｄ（図８、図９参照）とされている。
【００９０】
こうすることで、庇部１１１を支持して上部ユニット３の外壁面３ａに設けられる基部１１２といった簡単な構成で、上部ユニット３の開閉状態に関わらず水落下定点Ｐとなる排水部１１０ａを容易に実現させることができる。
【００９１】
なお、本実施の形態では、水落下定点Ｐとなる排水部１１０ａは、上部ユニット３の開閉状態に関わらず同一又は略同一箇所となる構成とされている。但し、それに限定されるものではなく、水落下定点Ｐとなる排水部１１０ａは、上部ユニット３が開いている状態と閉じている状態とで異なる箇所となる構成とされていてもよい。
【００９２】
（第８実施形態）
排水部材１１０における庇部１１１に用いることができる材料は、庇として機能するものであれば、剛性を有する材料であってもよいし、或いは弾性を有する材料であってもよく、何れの材料であってもよい。庇部１１１に用いることができる材料としては、例えば、金属材料（具体的には板金）や樹脂材料等の材料を挙げることができる。
【００９３】
ところで、庇部１１１に近傍に作業者により作業を要する作業部材１２，１２（図８参照）〔例えば着脱部材（例えば接続コネクタＣＮ）（図８参照）〕が設けられている場合、庇部１１１が邪魔になり、作業者による作業部材１２，１２の作業性が悪化する。この点に関し、排水部材１１０を上部ユニット３の外壁面３ａに対して着脱可能に設け、作業者が作業部材１２，１２に対して作業する場合には、排水部材１１０を上部ユニット３から離脱させることが考えられるが、この場合、排水部材１１０を上部ユニット３から離脱させる手間及び時間を要し、例えば、緊急時の対応に時間がかかってしまう。
【００９４】
従って、作業者が作業部材１２，１２に対して作業する場合において、排水部材１１０を上部ユニット３から離脱させる手間及び時間を削減し、例えば、緊急時に早急に対応することが望まれる。
【００９５】
この点、本実施の形態において、庇部１１１は、可撓性を有する材料（弾性変形する材料）で形成されている。
【００９６】
こうすることで、作業者が作業部材１２，１２に対して作業するにあたり、作業し易いように庇部１１１を弾性的に（復帰可能に）曲げることができ、これにより、作業者は庇部１１１を曲げた状態で作業部材１２，１２に対して作業を行うことができる。従って、排水部材１１０を上部ユニット３から離脱させることなく、作業者が作業部材１２，１２に対して作業を行うことができる。これにより、排水部材１１０を上部ユニット３から離脱させる手間及び時間を削減することができ、例えば、緊急時に早急に対応することができる。
【００９７】
ここで、可撓性を有する材料としては、樹脂材料、代表的には、ＰＥＴ（ポリエチレンテレフタレート）樹脂を挙げることができる。
【００９８】
この例では、庇部１１１は、ＰＥＴ樹脂で形成されており、透明又は光透過性のものとされている。
【００９９】
（第９実施形態）
図１０は、上部ユニット３における排水部材１１０の一例を示す概略構成図である。また、図１１は、上部ユニット３における排水部材１１０の他の例を示す概略構成図である。
【０１００】
ところで、排水部材１１０は、庇部１１１を支持して上部ユニット３の外壁面３ａ〔この例では上部ユニット３のヒンジ部４とは反対側の外壁面３ａ（３ａ１）〕に設けられる基部１１２を有している場合において、基部１１２は、図１０に示すように、下端１１２ａが下部ユニット２の上端２ｂの位置よりも上方に位置していてもよいが、この場合、次のような不都合がある。
【０１０１】
すなわち、基部１１２を伝って流れる水Ｗは、基部１１２の下端１１２ａから落下するだけでなく、基部１１２の下端１１２ａから上部ユニット３の外壁面３ａを経て下部ユニット２側に入り込み易い。
【０１０２】
従って、基部１１２を伝って流れる水Ｗが下部ユニット２側に入り込むことを抑制することが望まれる。
【０１０３】
この点、本実施の形態において、基部１１２は、図１１に示すように、上部ユニット３が閉じている状態において下端１１２ａが下部ユニット２の上端２ｂの位置又は下部ユニット２の上端２ｂよりも下方（この例では下部ユニット２の上端２ｂよりも下方）の位置に位置している。
【０１０４】
こうすることで、基部１１２を伝って流れる水Ｗは、基部１１２の下部ユニット２の上端２ｂの位置又は下部ユニット２の上端２ｂよりも下方の位置に位置している下端１１２ａ側に流れ込み易くすることができる一方、下部ユニット２側に流れ込み難くすることができ、従って、基部１１２の下端１１２ａから落下する水Ｗの量を増やすことができる。これにより、基部１１２を伝って流れる水Ｗが下部ユニット２側に入り込むことを抑制することができる。
【０１０５】
庇部１１１は、上部ユニット３の外壁面３ａの鉛直方向Ｖにおける何れの配設位置に設けられていてもよい。但し、上部ユニット３の外壁面３ａに、外壁面３ａから突出する突出部材１３（図８参照）（例えば接続コネクタＣＮや接続コネクタＣＮのハーネスＨＮを挿通する挿通部材Ｍ）が設けられている場合には、庇部１１１は、突出部材１３（例えば接続コネクタＣＮや接続コネクタＣＮのハーネスＨＮを挿通する挿通部材Ｍ）の下方に設けることが好ましい。
【０１０６】
なお、庇部１１１は、基部１１２の鉛直方向Ｖにおける長さを短くするという観点から、上部ユニット３の外壁面３ａの鉛直方向Ｖにおいて下部ユニット２の近傍（具体的には上部ユニット３の下端３ｂから下部ユニット２側の所定距離だけ上方に離れた位置）に設けることが好ましい。
【０１０７】
（第１０実施形態）
ところで、排水部材１１０における基部１１２は、図１１に示すように、下部ユニット２の上端２ｂよりも下方に直線的に延びている場合、例えば、ヒンジ部４等の具合等の何らかの要因で、上部ユニット３のヒンジ部４とは反対側の外壁面３ａ（３ａ１）が下部ユニット２のヒンジ部４とは反対側の外壁面２ａに対して内側にずれてしまうと、上部ユニット３が下部ユニット２に対して閉じるときに、基部１１２が下部ユニット２に衝突し、上部ユニット３が閉じないことがある。また、場合によっては、基部１１２が変形或いは破損することがある。
【０１０８】
図１２は、上部ユニット３における排水部材１１０のさらに他の例であって、図４から図９に示す排水部材１１０を示す概略構成図である。
【０１０９】
この点、本実施の形態では、図１２に示すように、基部１１２は、基部本体部１１２１と、基部本体部１１２１の下端１１２１ａと連通して下端１１２１ａから下方に行くに従って下部ユニット２から次第に離れる離間部１１２２とを有している。
【０１１０】
こうすることで、たとえ、ヒンジ部４等の具合等の何らかの要因で、上部ユニット３のヒンジ部４とは反対側の外壁面３ａ（３ａ１）が下部ユニット２のヒンジ部４とは反対側の外壁面２ａに対して内側にずれたとしても、上部ユニット３が下部ユニット２に対して閉じるときに、基部１１２における離間部１１２２が上部ユニット３を下部ユニット２に沿って案内することができる。これにより、上部ユニット３を確実に閉じることができる。また、基部１１２の変形或いは破損を回避することができる。
【０１１１】
離間部１１２２は、上部ユニット３が閉じている状態において下部ユニット２の近傍（上部ユニット３を閉じるときに上部ユニット３を下部ユニット２に沿って案内可能な位置）に位置するように設けられている。
【０１１２】
基部１１２における離間部１１２２は、図１２に示すように、平板状に形成されていてもよいし、図示を省略したが、先端側に行くに従って次第に上方又は下方に湾曲する湾曲状に形成されていてもよい。
【０１１３】
ところで、鉛直方向Ｖ（具体的には下部ユニット２の外壁面２ａ）に対する離間部１１２２の離間角度θｃ（図１２参照）〔離間部１１２２が湾曲状に形成されている場合には離間部１１２２の上端１１２２ｂを通る仮想接線の鉛直方向Ｖ（具体的には下部ユニット２の外壁面２ａ）に対する角度〕は、小さ過ぎると、上部ユニット３が下部ユニット２に対して閉じるときに、基部１１２における離間部１１２２が下部ユニット２に衝突し易い。一方、離間角度θｃは、大き過ぎると、離間部１１２２の排水部１１０ａにおいて定位置又は略定位置で落下しない状態になり易く、すなわち、離間部１１２２の排水部１１０ａが水平な平面又は水平に近い平面となり易く、そうすると、水Ｗが水平な平面又は水平に近い平面である離間部１１２２の排水部１１０ａの何れの位置から落下するか特定することができない。
【０１１４】
この点、本実施の形態では、離間角度θｃは、例えば、１０度〜３０度程度を挙げることができる。この例では、離間角度θｃは、２０度程度（２０度又は略２０度）とされている。
【０１１５】
こうすることで、上部ユニット３が下部ユニット２に対して閉じるときの基部１１２における離間部１１２２の下部ユニット２への衝突の回避と、離間部１１２２の排水部１１０ａにおける水Ｗの定位置又は略定位置での落下性との両立を実現させることができる。
【０１１６】
（第１１実施形態）
ところで、庇部１１１を支持する基部１１２を用いる場合、基部１１２と庇部１１１との間、及び／又は、基部１１２と上部ユニット３の外壁面３ａとの間に隙間があると、基部１１２と庇部１１１との間、及び／又は、基部１１２と上部ユニット３の外壁面３ａとの間から水Ｗが侵入して下部ユニット２に入り易い。このことは、特に、基部１１２と庇部１１１とを部分的に〔この例ではビス等の部分的な固定部材ＳＣ〜ＳＣ（図８から図１２参照）で〕固定する場合、及び／又は、基部１１２と上部ユニット３の外壁面３ａとを部分的に〔この例ではビス等の部分的な固定部材ＳＣ〜ＳＣ（図８から図１２参照）で〕固定する場合に顕著となる。
【０１１７】
この点、本実施の形態において、基部１１２は、シール部材１２０（１２１）を介して庇部１１１を支持している。或いは／さらに（この例ではさらに）、基部１１２は、シール部材１２０（１２２）を介して上部ユニット３の外壁面３ａに設けられている。
【０１１８】
こうすることで、基部１１２と庇部１１１との間、及び／又は（この例では及び）、基部１１２と上部ユニット３の外壁面３ａとの間の隙間を無くす或いは殆ど無くすことができる。これにより、基部１１２と庇部１１１との間、及び／又は（この例では及び）、基部１１２と上部ユニット３の外壁面３ａとの間から水Ｗが侵入することを無くす或いは殆ど無くすことができ、ひいては、該隙間からの水Ｗが下部ユニット２に入ることを回避することができる。このことは、特に、本実施の形態のように、基部１１２と庇部１１１とを部分的に（この例ではビス等の部分的な固定部材ＳＣ〜ＳＣで）固定する場合、及び／又は（この例では及び）、基部１１２と上部ユニット３の外壁面３ａとを部分的に（この例ではビス等の部分的な固定部材ＳＣ〜ＳＣで）固定する場合に有効となる。
【０１１９】
シール部材１２０に用いることができる材料としては、耐候性、防水性、止水性等の機能を有する部材であれば、何れの材料も用いることができ、例えば、軟質性の部材（具体的には多孔質材料からなる部材）、より具体的には、ウレタンフォームを用いることができる。この例では、シール部材１２０は、微細かつ略均一な高密度のセル構造を有するウレタンフォーム〔株式会社ロジャースイノアック製  ＰＯＲＯＮ（登録商標）〕で構成されている。
【０１２０】
具体的には、基部本体部１１２１（図１０から図１２参照）は、庇部１１１を支持する第１本体部１１２１１（図１０から図１２参照）と、上部ユニット３の外壁面３ａに設けられる第２本体部１１２１２（図１０から図１２参照）とを有している。第１本体部１１２１１と第２本体部１１２１２とは一体形成されている。第１本体部１１２１１と第２本体部１１２１２とは同じ又は略同じ厚みとされている。第１本体部１１２１１は、第２本体部１１２１２に対して所定の角度（９０度−下向傾斜角度θｂ１）で屈曲している。基部本体部１１２１（具体的には第２本体部１１２１２）と離間部１１２２（図１２参照）とは一体形成されている。基部本体部１１２１（具体的には第２本体部１１２１２）と離間部１１２２とは同じ又は略同じ厚みとされている。離間部１１２２は、基部本体部１１２１（具体的には第２本体部１１２１２）に対して所定の角度（１８０度−離間角度θｃ）で屈曲している。
【０１２１】
例えば、基部１１２は、平板の板金をプレス加工及び曲げ加工を行うことが形成することができる。
【０１２２】
シール部材１２０（１２１）は、第１本体部１１２１１の内側（下側）の面に接着剤や両面粘着シート等の接着部材Ｎにより接着されている。同様に、シール部材１２０（１２２）は、第２本体部１１２１２の外側（この例では後方側）の面に接着剤や両面粘着シート等の接着部材Ｎにより接着されている。
【０１２３】
図４から図９及び図１２に示す構成において、シール部材１２０（１２２）は、離間部１１２２と同様、下方に行くに従って下部ユニット２から次第に離れるようになっている。詳しくは、シール部材１２０（１２２）は、離間部１１２２の外側（この例では後方側）の面に接着剤や両面粘着シート等の接着部材Ｎ（図１２参照）により接着されている。
【０１２４】
シール部材１２０（１２２）は、下端が基部１１２（図４から図９及び図１２に示す構成では基部１１２における離間部１１２２）の下端よりも下側になるように設けることができる。この場合、シール部材１２０（１２２）の下端部も水落下定点Ｐ（この例では最下点）となる排水部１１０ａ（図１２参照）となり得る。
【０１２５】
基部１１２（図４から図９及び図１２に示す構成では離間部１１２２）における両端１１２ｂ，１１２ｂ（図８及び図９参照）とそれぞれ鋭角を構成する下端１１２ｃ（図８及び図９参照）の高さ位置〔設置面Ｓ（図４参照）からの高さ位置〕は、上部ユニット３の外壁面３ａに沿った水平方向Ｈ（この例ではヒンジ部４の回動軸４ａ方向）における内側から外側に行くに従って（この例では上部ユニット３の開閉状態に関わらず）次第に低くなっている（図８、図９参照）。詳しくは、基部１１２の下端１１２ｃは、両端１１２ｂ，１１２ｂに対して所定のコーナー角度θｄ，θｄ（図８及び図９参照）で傾斜している。コーナー角度θｄは、大き過ぎると、排水部１１０ａにおいて定位置又は略定位置で落下しない状態になり易い一方、小さ過ぎると、基部１１２（具体的には離間部１１２２）とシール部材１２０（１２２）との接着面積、ひいては接着部材Ｎによる接着性が低下し易い。従って、コーナー角度θｄとしては、例えば、２度〜６度程度を挙げることができる。この例では、コーナー角度θｄは、４度程度（４度又は略４度）とされている。
【０１２６】
こうすることで、排水部１１０ａにおける水Ｗの定位置又は略定位置での落下性と、接着部材Ｎの基部１１２及びシール部材１２０（１２２）に対する接着性との両立を実現させることができる。
【０１２７】
庇部１１１及びシール部材１２０（１２１）には、１又は複数（この例では７個）の固定部材ＳＣ〜ＳＣを貫通する貫通孔ｔ１〜ｔ１，ｔ２〜ｔ２（図１０から図１２参照）が設けられている。第１本体部１１２１１には、固定部材ＳＣ〜ＳＣを固定するための固定部Ｆ１〜Ｆ１（図１０から図１２参照）（この例では固定部材ＳＣの雄ネジと螺合する雌ネジ）が設けられている。そして、庇部１１１及びシール部材１２０（１２１）は、固定部材ＳＣ〜ＳＣが貫通孔ｔ１〜ｔ１，ｔ２〜ｔ２に内側（この例では下側）から挿通した状態で固定部Ｆ１〜Ｆ１に離脱可能に固定（この例では螺合）されることで、第１本体部１１２１１に着脱可能に設けられる。
【０１２８】
第２本体部１１２１２及びシール部材１２０（１２２）には、１又は複数（この例では４個）の固定部材ＳＣ〜ＳＣを貫通する貫通孔ｔ３〜ｔ３，ｔ４〜ｔ４（図１０から図１２参照）が設けられている。上部ユニット３の外壁面３ａには、固定部材ＳＣ〜ＳＣを固定するための固定部Ｆ２〜Ｆ２（図１０から図１２参照）（この例では固定部材ＳＣの雄ネジと螺合する雌ネジ）が設けられている。そして、第２本体部１１２１２及びシール部材１２０（１２２）は、固定部材ＳＣ〜ＳＣが貫通孔ｔ３〜ｔ３，ｔ４〜ｔ４に内側（この例では前方側）から挿通した状態で固定部Ｆ２〜Ｆ２に離脱可能に固定（この例では螺合）されることで、上部ユニット３の外壁面３ａに着脱可能に設けられる。
【０１２９】
（第１２実施形態）
排水部材１１０が上部ユニット３の後方側の外壁面３ａ（３ａ２）、左方側の外壁面３ａ（３ａ３）及び右方側の外壁面３ａ（３ａ４）に設けられる場合、第４実施形態から第１１実施形態の構成とすることができる。
【０１３０】
［水抜き穴］
本実施の形態では、排水構造１００は、移動体１における曲げ形状部２０１（図２及び図３参照）に設けられた水抜き穴２０２（図３参照）を備えている。排水部材１１０は、曲げ形状部２０１における水抜き穴２０２に向けて水Ｗを誘導するように構成することができる。
【０１３１】
次に、移動体１に設けられた曲げ形状部２０１における水抜き穴２０２について以下に説明する。
【０１３２】
（第１３実施形態）
上部ユニット３を覆う外装部２００には、内部に溜まった水を外部へ排出するための排水構造１００が設けられている。具体的に、上部ユニット３を覆う外装部２００は、底面に対して、高さ方向（鉛直方向Ｖ）で傾斜した部位を有する曲げ形状部２０１が設けられている。詳しくは、曲げ形状部２０１は、下側が凸となるように曲がっている。そして、曲げ形状部２０１には、外装部２００の内側から外側へ開口した水抜き穴２０２が形成されている。
【０１３３】
曲げ形状部２０１は、上面視において（図３参照）、移動体１の左右方向Ｈ１で対向する側面に沿う位置であって、一部が前輪６ａの前面側端部と重なる位置に設けられている。上部ユニット３を覆う外装部２００は、上面視において、下部ユニット２より外側へ突出した形状とされている。そして、曲げ形状部２０１は、上面視において、下部ユニット２より外側の領域に設けられている。本実施の形態において、曲げ形状部２０１は、左右方向Ｈ１で下部ユニット２の外側に配設されている。
【０１３４】
図１３は、第１３実施形態における外装部２００の内側から視た曲げ形状部２０１を示す拡大上面図である。図１４は、図１３に示す矢符Ａ−Ａ線に沿う拡大断面図である。
【０１３５】
曲げ形状部２０１は、外装部２００が設けられた上部ユニット３が閉じている状態において、ヒンジ部４から離間するに従って、下方へ傾斜する第１面部２０３と、第１面部２０３に対して予め定めた所定の角度で、第１面部２０３の下端から延伸された第２面部２０４とで構成されている。詳しくは、第２面部２０４は、第１面部２０３の前面側から延伸されている。図１４に示す水平補助線ＬＨは、水平方向Ｈに平行な直線を示している。第１面部２０３が水平方向Ｈに対して傾斜した角度（第１面角度ＡＮ１）は、本実施の形態において、外装部２００が設けられた上部ユニット３が閉じている状態において所定の角度（この例では４５度程度）とされている。また、第２面部２０４は、外装部２００が設けられた上部ユニット３が閉じている状態において水平方向Ｈに対して平行又は略平行とされている。第１面部２０３と第２面部２０４とは一体形成されている。なお、第１面部２０３と第２面部２０４とが接続された部分（曲げ形状部２０１の頂点）は、徐々に傾きが変わるように、丸みを帯びた（湾曲させた）形状とされている。
【０１３６】
水抜き穴２０２は、第１面部２０３と第２面部２０４との接続部に設けられている。具体的に、水抜き穴２０２は、曲げ形状部２０１における傾斜の頂点を含むように設けられており、第１面部２０３の第２面部２０４側の端部から第２面部２０４の第１面部２０３側の端部に亘って形成されている。水抜き穴２０２は、前後方向Ｈ２で長い長穴とされており、左右方向Ｈ１で離間させて複数設けられている。
【０１３７】
第１面部２０３では、外装部２００が設けられた上部ユニット３を閉じている状態において水抜き穴２０２へ向かって水が流れるように傾斜している。従って、第１面部２０３を伝って下方に流れる水を確実に水抜き穴２０２から排出することができる。
【０１３８】
また、外装部２００が設けられた上部ユニット３を閉じた状態では、曲げ形状部２０１において、水抜き穴２０２を含む第２面部２０４が最下点を構成しており、これにより、第２面部２０４を伝って誘導される流水を水抜き穴２０２から外部へ排出することができる。しかも、第２面部２０４においてたとえ水抜き穴２０２よりも前方側に水が溜まっていたとしても、移動体１が進行方向Ｄに加速するときの慣性力により進行方向Ｄとは反対側に移動する水を水抜き穴２０２から外部へ排出することができる。
【０１３９】
この例では、上部ユニット３の外装部２００における前方側（具体的には前端部）の左右方向Ｈ１における両側（具体的には両端部）から下部ユニット２に向けて水が流れ込むことがあることから、両端構成部１５の後方に水抜き穴２０２が設けられている。こうすることで、上部ユニット３における両端構成部１５の外装部２００から下部ユニット２の外装部２００内への水の浸入を効果的に防止することができる。
【０１４０】
本実施の形態では、第１面部２０３と、第１面部２０３より後方側とで水が行き来しないように、仕切（図示せず）を設けるなどして第１面部２０３と第１面部２０３より後方側とが仕切られている。なお、これに限らず、外装部２００の底面のうち、第１面部２０３より後方側（この例では前輪６ａの上方に位置する部分）を開口させて、水が排出される構造としてもよい。
【０１４１】
前記した第１面部２０３は、前輪６ａの上方に位置しており（例えば、図１参照）、上端に前輪６ａの形状に沿った曲面を有している。なお、第１面部２０３の形状は、それには限定されないが、全体を前輪６ａに沿って、上側が凸となるように曲がった曲面としてもよい。こうすることで、曲げ形状部２１０と車輪６との間の距離を狭くして、移動体１の小型化を実現させることができる。
【０１４２】
図１５は、外装部２００を開けた状態での水抜き穴２０２近傍の断面を示す拡大断面図である。
【０１４３】
図１５は、図１４に示す状態に対して、外装部２００が設けられた上部ユニット３を開けた状態を示している。図１５に示す開放角度ＡＮ２は、外装部２００が設けられた上部ユニット３が下部ユニット２に対して開かれた角度を示し、図２に示す開放角度θａと同様に、４０度程度とされている。外装部２００が設けられた上部ユニット３を開けた状態では、曲げ形状部２０１における水抜き穴２０２の部分が最下点を含んでいる。
【０１４４】
詳しくは、第１面角度ＡＮ１が開放角度ＡＮ２より大きく設定されている。そうすると、第１面部２０３では、外装部２００が設けられた上部ユニット３を開けた状態でも、水抜き穴２０２が下方となるように第１面部２０３が傾斜する。一方、第２面部２０４では、第２面部２０４の後方側が下向きになるように第２面部２０４の向きが変わり、そうすると、水抜き穴２０２が下方に位置する。その結果、外装部２００が設けられた上部ユニット３を開けた状態においても、曲げ形状部２０１において水抜き穴２０２よりも前方側及び後方側に溜まった水が水抜き穴２０２に向けて誘導される。このように、第１面角度ＡＮ１を開放角度ＡＮ２より大きく設定することで、外装部２００が設けられた上部ユニット３を開けた際でも、水抜き穴２０２の部分が曲げ形状部２０１の最下点を含むので、確実に流水を誘導することができる。
【０１４５】
このように、外装部２００の排水構造１００では、外装部２００が設けられた上部ユニット３の開閉状態に関わらず（上部ユニット３が閉じているときと開いているときとの何れにおいても）、曲げ形状部２０１における水抜き穴２０２に対応する領域が最下点を含んでいる。
【０１４６】
前述した外装部２００の排水構造１００によれば、外装部２００が設けられた上部ユニット３を開けた際でも、閉じた際でも、流水の流れが集中する箇所に水抜き穴２０２を設けることができ、これにより、雨水等の外部から流入した水が溜まるのを抑えることができる。また、水抜き穴２０２を設けて排水する箇所を特定することができ、これにより、外装部２００が設けられた上部ユニット３を開けた際に、意図しない流水の流れによって、移動体１の内部へ水が落ちることを抑制することができる。
【０１４７】
本実施の形態では、前輪６ａの前方側に水抜き穴２０２を有する曲げ形状部２０１を設けたが、これに限定されず、後輪６ｂの前方側や、外装部２００の後端などに水抜き穴２０２を有する曲げ形状部２０１を設けてもよい。また、ヒンジ部４を設ける位置を変更した場合には、それに応じて、水抜き穴２０２を有する曲げ形状部２０１を設ける位置を適宜変更することができる。
【０１４８】
また、本実施の形態では、上面視した際に、下部ユニット２と重ならない位置に水抜き穴２０２を設けているので、排出された水が下部ユニット２へ落ちるのを抑えることができる。
【０１４９】
ところで、水抜き穴２０２を大きくし過ぎると、排水には有効となるが、外装部２００の支持構造が脆弱になり易いので、強度に不安が生じる。また、大きな水抜き穴２０２が存在すると、意図しない物体が移動体１の内部に入り込んで（例えばユーザが移動体１の内部に手指を挿し入れて）、二次的な不都合が生じる虞がある。そのため、水抜き穴２０２は、曲げ形状部２０１の最下点を含む程度であって強度が許容できる程度の外装部２００の支持構造となる前後方向Ｈ２における長さとし、左右方向Ｈ１における幅を意図しない物体が移動体１の内部に入り込み難い程度に小さくすることができる。これにより、外装部２００の強度を保ちつつ、意図しない物体が内部に入り込むことを抑制することができる。
【０１５０】
本実施の形態において、水抜き穴２０２は、前後方向Ｈ２の幅が所定距離（この例では１６ｍｍ程度）とされ、左右方向Ｈ１の幅が所定距離（この例では５ｍｍ程度）とされている。ここで、水抜き穴２０２は、長手方向（前後方向Ｈ２）が進行方向Ｄとなるように設定されており、長手方向の幅は、曲げ形状部２０１の湾曲部（第１面部２０３と第２面部２０４との接続部）を全て含む長さとされている。
【０１５１】
（第１４実施形態）
次に、本発明の第１４実施形態に係る移動体について、図１６を参照して説明する。なお、第１４実施形態では、第１３実施形態と略同様の概略構造をしているので、同様の符号を付して、その説明を省略する。
【０１５２】
図１６は、第１４実施形態における外装部の内側から視た曲げ形状部２０１を示す拡大上面図である。
【０１５３】
第１４実施形態では、第１３実施形態に対して、水抜き穴２０２近傍に（隣接して）ガイド部２０５が設けられている点で異なっている。
【０１５４】
具体的に、曲げ形状部２０１には、水を水抜き穴２０２に向けて案内するガイド部２０５が設けられている。ガイド部２０５は、水抜き穴２０２の前後方向Ｈ２における中央部よりも前方側及び／又は後方側において水抜き穴２０２側で高くかつ水抜き穴２０２側よりも前方側及び／又は後方側で低くなるように曲げ形状部２０１の上面に設けられた段差とされている。
【０１５５】
詳しくは、ガイド部２０５は、水抜き穴２０２に連接するように延伸された凸状部とされている。本実施の形態において、ガイド部２０５は、曲げ形状部２０１の上面から突出するように形成されたリブとさている。また、ガイド部２０５は、それぞれの水抜き穴２０２に対して周囲４カ所に設けられている。この例では、ガイド部２０５は、水抜き穴２０２に対して、前方側の左右端部と、後方側の左右端部とに繋がる位置（具体的には四隅又は四隅の近傍）に設けられている。ガイド部２０５は、水抜き穴２０２に連接される側とは反対側の端部が他の隣接するガイド部２０５の水抜き穴２０２に連接される側とは反対側の端部と連通している。連接して隣り合うガイド部２０５，２０５は、該隣り合うガイド部２０５，２０５の間に位置する水抜き穴２０２に向かうに従って次第に近づくように形成されている。隣り合うガイド部２０５，２０５の連接部は、隣り合う水抜き穴２０２，２０２間の中央部又は略中央部に位置している。ガイド部２０５は、前後方向Ｈ２及び左右方向Ｈ１に対して傾斜した方向へ直線的に延伸されている。なお、ガイド部２０５は、曲線的（前後方向Ｈ２に対して凹状又は凸状に湾曲するように）に延伸されていてもよい。すなわち、隣り合うガイド部２０５，２０５のうち、一方が前後方向Ｈ２に対して凹状に湾曲し、かつ、他方が凸状に湾曲していてもよいし、双方が凹状又は凸状に湾曲していてもよい。
【０１５６】
前述した外装部２００の排水構造１００では、第１面部２０３及び第２面部２０４に沿って流れる水は、ガイド部２０５に到達すると、図１６中の矢符Ｃのように、ガイド部２０５に沿う向きに誘導される。そのため、曲げ形状部２０１の水抜き穴２０２が存在しない部分（具体的には隣り合う水抜き穴２０２，２０２間の部分）での水の滞留を抑えることができ、これにより、確実に流水を排水することができる。
【０１５７】
本実施の形態では、ガイド部２０５を曲げ形状部２０１の上面から突出したリブとしたが、これに限定されず、ガイド部２０５を曲げ形状部２０１の上面において凹んだ溝としてもよい。ガイド部２０５を溝とした場合、ガイド部２０５に到達した水は、一旦、ガイド部２０５内に入り、ガイド部２０５内を通って水抜き穴２０２へ誘導される。
【０１５８】
（第１５実施形態）
次に、本発明の第１５実施形態に係る移動体１について、図１７及び図１８を参照して説明する。なお、第１５実施形態では、第１３実施形態及び第１４実施形態と略同様の概略構造をしているので、同様の符号を付して、その説明を省略する。
【０１５９】
図１７は、第１５実施形態における水抜き穴２０２近傍の断面を示す拡大断面図であって、図１８は、第１５実施形態において、外装部２００が設けられた上部ユニット３を開けた状態での水抜き穴２０２近傍の断面を示す拡大断面図である。
【０１６０】
図１７は、図１４と同様に、前後方向Ｈ２に沿った断面を示している。第１５実施形態では、第１３実施形態及び第１４実施形態に対して、外装部２００が設けられた上部ユニット３が閉じている状態において第２面部２０４が傾斜している点で異なっている。
【０１６１】
具体的に、第２面部２０４は、外装部２００が設けられた上部ユニット３が閉じている状態において、水抜き穴２０２に向かうに従って、下方へ傾斜している。第２面部２０４が水平方向Ｈに対して傾斜した角度（第２面角度ＡＮ３）は、本実施の形態において、外装部２００が設けられた上部ユニット３が閉じている状態において１０度程度（又は略１０度）とされている。
【０１６２】
前述した外装部２００の排水構造１００では、外装部２００が設けられた上部ユニット３が閉じている状態において、第２面部２０４が水抜き穴２０２に向かうに従って下方へ傾斜していることで、第２面部２０４を伝って下方へ流れる水を水抜き穴２０２に向けて流すことができ、これにより、確実に水抜き穴２０２から水を排出することができる。
【０１６３】
また、開放角度ＡＮ２（θａ）が９０度より小さい場合、第２面部２０４の傾斜角度（第２面角度ＡＮ３）を９０度から開放角度ＡＮ２（θａ）を引いた値よりも小さくしておくことで（ＡＮ３＜９０度−ＡＮ２）、外装部２００が設けられた上部ユニット３を開けた状態でも、第２面部２０４の傾斜角度（第２面角度ＡＮ３）が９０度より小さい角度に維持することから、第２面部２０４を水抜き穴２０２に向かうに従って下方へ傾斜させることができ、第１３実施形態と同様に、水抜き穴２０２へ排水が集中する構造を維持できる。
【０１６４】
（第１６実施形態）
次に、本発明の第１６実施形態に係る移動体１について、図１９を参照して説明する。なお、第１６実施形態では、第１３実施形態ないし第１５実施形態と略同様の概略構造をしているので、同様の符号を付して、その説明を省略する。
【０１６５】
図１９は、第１６実施形態における水抜き穴２０２近傍の断面を示す拡大断面図である。
【０１６６】
図１９は、図１３に示す矢符Ｂ−Ｂ線に沿う断面に相当し、左右方向Ｈ１に沿った断面を示している。第１６実施形態では、第１３実施形態から第１５実施形態に対して、水抜き穴２０２の周囲に誘導傾斜部２０６が設けられている点で異なっている。
【０１６７】
具体的に、誘導傾斜部２０６は、外装部２００が設けられた上部ユニット３の開閉状態に関わらず（上部ユニット３が閉じているときと開いているときとの何れにおいても）、曲げ形状部２０１の傾斜と交わる方向（この例では曲げ形状部２０１の傾斜と直交する左右方向Ｈ１）において、水抜き穴２０２に向かうに従って、下方へ傾斜している。
【０１６８】
前述した外装部２００の排水構造１００では、曲げ形状部２０１において前後方向Ｈ２における水抜き穴２０２側へ流水を誘導することができるだけでなく、誘導傾斜部２０６において左右方向Ｈ１でも水抜き穴２０２側へ流水を誘導することができ、これにより、外装部２００内での水の滞留をさらに抑制することができる。
【０１６９】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【０１７０】
１        移動体
２        下部ユニット
２ａ      外壁面
３        上部ユニット
３ａ      外壁面
３ｂ      下端
４        ヒンジ部
４ａ      回動軸
５        電気部品類
５ａ      制御装置
６        車輪
６ａ      前輪
６ｂ      後輪
７        監視装置
８        アーム部
９        支持部材
１０      ロック部材
１２      作業部材
１３      突出部材
１４      中央構成部
１５      両端構成部
１００    排水構造
１１０    排水部材
１１０ａ  排水部
１１１    庇部
１１１ａ  先端
１１１ｂ  基端
１１１ｃ  両端
１１２    基部
１１２ｂ  両端
１１２ｃ  下端
１１２ｄ  角部
１１２１  基部本体部
１１２２  離間部
１２０    シール部材
２００    外装部
ＣＮ      接続コネクタ
Ｄ        進行方向
Ｈ        水平方向
Ｈ１      左右方向
Ｈ２      前後方向
Ｌ        突出長さ
Ｍ        挿通部材
Ｎ        接着部材
Ｐ        水落下定点
Ｓ        設置面
ＳＣ      固定部材
Ｖ        鉛直方向
Ｗ        水
ｄ１      庇部サイズ
ｄ２      下部ユニットサイズ
α        内側領域
θａ      開放角度
θｂ      傾斜角度
θｂ１    下向傾斜角度
θｂ２    上向傾斜角度
θｃ      離間角度
θｄ      コーナー角度
【図１】
2018176840.tif 000003
【図２】
2018176840.tif 000004
【図３】
2018176840.tif 000005
【図４】
2018176840.tif 000006
【図５】
2018176840.tif 000007
【図６】
2018176840.tif 000008
【図７】
2018176840.tif 000009
【図８】
2018176840.tif 000010
【図９】
2018176840.tif 000011
【図１０】
2018176840.tif 000012
【図１１】
2018176840.tif 000013
【図１２】
2018176840.tif 000014
【図１３】
2018176840.tif 000015
【図１４】
2018176840.tif 000016
【図１５】
2018176840.tif 000017
【図１６】
2018176840.tif 000018
【図１７】
2018176840.tif 000019
【図１８】
2018176840.tif 000020
【図１９】
2018176840.tif 000021